(57)【要約】      （修正有）【課題】雄犬用の使い捨てできるおむつにおいて、胴体にフィットし、見た目のよいものを提供する。【解決手段】雄犬用のおむつとして、両端部同士が互いに固定可能に形成された帯状の本体１０と、本体の一定領域に設けられる吸水体３０と、本体の長手方向に伸縮するように本体の一部に幅方向に渡って設けられるギャザー２０とを設けることで、装着時にギャザー２０が幅方向にほぼ均等伸び、装着する犬の胴体にフィットし、見た目もよくすることができる。【選択図】図１
0003141580.tif 000002
【実用新案登録請求の範囲】
【請求項１】
両端部同士が互いに固定可能に形成された帯状の本体と、
前記本体の一定領域に設けられる吸水体と、
前記本体の長手方向に伸縮するように前記本体の一部に幅方向に渡って設けられるギャザーと、
を有する雄犬用おむつ
【請求項２】
前記本体の前記吸水体が設けられる部分を含む位置における幅が他の部分よりも広く形成される請求項１に記載の雄犬用おむつ。
【請求項３】
前記吸収体は、一部が厚く形成されるものである請求項１又は２に記載の雄犬用おむつ。
【考案の詳細な説明】
【技術分野】
【０００１】
本考案は、雄犬のために使用するおむつに関する。
【背景技術】
【０００２】
犬が外出する際に、他人の敷地などで排尿行為をしないために、犬用のおむつを使用する場合がある。雄犬の場合は、紙ナプキンをセットした帯状のマナーベルトを胴体に巻きつけて固定することが一般的に行われているが、マナーベルト部分にまで尿が染み出しやすく、染み出た部分から尿が臭ったり、洗濯などの手間がかかったりするという問題がある。
これに対応するものとして、下記特許文献１には、中央部分に吸水部が設けられた帯状の紙おむつが示されている。このように紙おむつとして使い捨てにすることで、尿が染み出しても洗濯をする必要がなく、常に衛生的に使用することができる。
【特許文献１】特開平２００６−２１７９０７公報
【考案の開示】
【考案が解決しようとする課題】
【０００３】
しかし、上記特許文献１に記載の発明は、ギャザーの位置が吸水部を挟む本体の両縁部分に設けられているので、両縁部が縮むと中央部が下方に膨らんでしまい、うまく犬の胴体にフィットせず、見た目もよくないという問題がある。
本考案はこのような問題に鑑みて、雄犬用の使い捨てできるおむつにおいて、胴体にフィットし、見た目のよいものを提供することを課題とする。
【課題を解決するための手段】
【０００４】
上記課題を解決するために、本考案は次のような構成を有する。
請求項１に記載の考案は、両端部同士が互いに固定可能に形成された帯状の本体と、
前記本体の一定領域に設けられる吸水体と、前記本体の長手方向に伸縮するように前記本体の一部に幅方向に渡って設けられるギャザーとを有する犬用おむつである。
請求項２に記載の考案は、前記犬用おむつにおいて、前記本体の前記吸水体が設けられる部分を含む位置における幅が他の部分よりも広く形成されるものである。
請求項３に記載の考案は、前記犬用おむつにおいて、前記吸収体は、所定範囲において厚く形成されるものである。
【考案の効果】
【０００５】
請求項１に記載の考案は、ギャザーが本体の幅方向に渡って設けられることで、本体が幅方向に関してほぼ均等に伸びるので、本体一部が不恰好に膨らむことがなく、犬の胴体にフィットし、見た目もよい。
請求項２に記載の考案は、本体の吸収体が設けられる部分を含む位置における幅を広くすることで、吸収体を設けることができる面積を広くでき、また、相対的に本体の犬の胴体に巻く部分の幅を狭くすることができる。
請求項３に記載の考案は、吸収体を一定範囲において厚く形成することで、厚くなった部分で犬の泌尿器部分を覆うように装着すれば、尿漏れを発生しにくくすることができる。
【考案を実施するための最良の形態】
【０００６】
以下、本考案の実施形態について、図を参照しながら説明する。
図１(ａ)に本実施形態に係る雄犬用おむつＸの正面図を示し、図１（ｂ）に雄犬用おむつＸの背面図を示し、図２に雄犬用おむつＸの斜視図を示す。雄犬用おむつＸは、帯状体からなる本体１０、本体１０の中央部近傍に設けられる吸水体３０、本体１０の吸水体３０の両側に幅方向に渡って形成されるギャザー２０、２０、本体の端部表面側に設けられる長方形状の粘着シール４１と本体端部裏面側に設けられるシール受け部４２とから構成される固定部４０を有する。
本体１０は、扁平な長方形状を有する不織布からなり、吸水体３０が設けられる部分の一方の縁部が円弧状に突出することにより幅広部１１を形成する。また、本体１０の吸水体３０が設けられる部分の裏面側全面に渡って、合成樹脂膜による防水加工が施されており、吸水体３０が吸水する尿が裏面側に到達しないようになっている。
ギャザー２０は、本体２０の２箇所において、幅方向に渡って長手方向に複数のゴム紐を通し固定することで当該箇所が皺になって縮まるように形成されたものである。これによりギャザー２０部分は、本体長手方向に引っ張ると伸び、力を緩めると縮むこととなる。
吸水体３０は、不織布シートを薄い袋状に形成し、内部に吸水性高分子ポリマー粒を封入したものであり、本体２０に接着固定される広い面積を有する第一吸収体３２と、第一吸収体３２の上面に重ねて接着固定される第二吸収体３１とから構成される。第一吸収体３２が装着される位置は、装着する雄犬の泌尿器近傍に位置することが想定される部分である。
固定部４０を構成する粘着シール４１は、装着前には剥離紙が粘着面に貼り付けられることで粘着しない状態で運搬保存でき、使用の際には、剥離紙を剥がして粘着面を表出することにより使用する。粘着シール４１に粘着面は、シール受け部４２に対して、複数回貼り直しができるものが採用される。また、シール受け部４２は滑らかな表面を有するように加工された紙により形成され、粘着シール４１に対して、本体１０長手方向の幅を広く取ることで、粘着シール４１を貼り付ける位置を本体１０長手方向に調整できるようになっている。これにより、犬の胴周りの長さに応じて、適宜、巻きつける本体１０の長さを調整することができ、また、ギャザー２０の胴回り方向の伸縮の効果と相まって、ぴったりと胴部に沿わせることができる。
【０００７】
次に、以上のような構成を有する雄犬用おむつＸの使用方法について説明する。使用者は、まず、粘着シール４１の剥離紙を剥がし、本体２０の幅広部１１の円弧部分が前になるようにし、泌尿器先端部分が第一吸水体３１の位置になるように表面を犬の胴体に当接させてから、本体１０を犬の胴体に巻く。そして、犬の背中部分でシール受け部４２を有する本体１０端部を背中に当接させ、その後、粘着シール４１を有する端部を重ねるようにして粘着シール４１をシール受け部４２に貼り付ける。この際、少し、本体１０の長手方向に力を加えてギャザー２０を若干伸ばすようにする。これにより、本体１０全体が胴体にぴったりと沿うので、本体１０がずれることが抑制され、また、吸収体３０で泌尿器を上から押さえることができる。図３に雄犬に雄犬用おむつＸを装着した状態を示す。図に示すように、雄犬用おむつＸは吸収体３０部分が多少膨らむものの、ギャザー２０は本体１０の幅方向に関してほぼ均等に伸びるので、本体１０の吸収体３０を挟む両縁にギャザーを設ける場合に比較して、ぴったりと胴体に全体を沿い、見栄えもよい。また、吸収体３０は、泌尿器が存する第一給水体３１部分がソフトな素材で２重に厚く形成されるので、泌尿器にやさしく当接し、尿漏れを抑制することができる。また、吸収体３０が設けられている部分の本体２０裏面は防水加工が施されているので、尿が裏面から染み出すこともない。
さらに、粘着シール４１はシール受け部４２に対して貼り直しができるので、必要に応じて粘着シール４１をシール受け部４２から剥がして本体１０を取り外し、吸収体３０に吸収された尿の量を確認した後に、付け直すことができる。そして、雄犬用おむつＸは、使用後そのまま廃棄することで衛生的であり、マナーベルトのように洗濯などのわずらわしい手間も必要がない。
なお、雄犬用おむつＸの大きさは、小型犬、中型犬、大型犬に合わせて複数種類用意することが望ましい。また、本体の両端部や吸収体の形状は適宜変更してもよい。さらに、全体および部分の色彩や模様などは自由に選択できることは、言うまでもない。
【図面の簡単な説明】
【０００８】
【図１】（ａ）は実施形態に係る雄犬用おむつの正面図であり、（ｂ）は実施形態に係る雄犬用おむつの背面図である。
【図２】実施形態に係る雄犬用おむつの斜視図である。
【図３】実施形態に係る雄犬用おむつの使用状態を示す側面図である。
【符号の説明】
【０００９】
Ｘ      雄犬用おむつ
１０    本体
１１    幅広部
２０    ギャザー
３０    吸収体
３１    第２吸収体
３２    第１吸収体
４０    固定部
４１    粘着シール
４２    シール受け部
【図１】
0003141580.tif 000003
【図２】
0003141580.tif 000004
【図３】
0003141580.tif 000005